(57)【要約】【課題】電力線13の設置作業や取替え作業を容易にでき、埋込形標識灯12間の電気接続を容易にできる埋込形標識灯装置を提供する。【解決手段】埋込形標識灯12の基台21内に、複数の埋込形標識灯12にわたって配線する電力線13を中継する中継端子台35を配設する。中継端子台35と電源端子台45とを内部配線46で接続し、基台21に取り付ける灯体22側と電源端子台45とが電気的に接続する。基台21内の中継端子台35で、複数の埋込形標識灯12にわたって配線する電力線13を中継するため、電力線13が短くなって電力線13の設置作業や取替え作業を容易にし、埋込形標識灯12間の電気接続を容易にする。【選択図】図１
2007308974.tif 000002
【特許請求の範囲】
【請求項１】
基台と；
基台の中央に取り付けられる灯体と；
基台内に配設され、基台に取り付けられる灯体側と電気的に接続されるとともに、複数の基台にわたって配線される電力線を中継する中継端子台と；
を具備していることを特徴とする埋込形標識灯。
【請求項２】
中継端子台は、電力線を接続する接続部を有し、基台内の周辺部に配設されるとともに接続部が基台の中央方向でかつ斜め上方に向くように配設されている
ことを特徴とする請求項１記載の埋込形標識灯。
【請求項３】
基台内の周辺部に電力線を配線する配線部が設けられている
ことを特徴とする請求項１または２記載の埋込形標識灯。
【請求項４】
基台に配線する電力線を通す金属管を具備している
ことを特徴とする請求項１ないし３いずれか一記載の埋込形標識灯。
【請求項５】
金属管には複数の孔が形成されている
ことを特徴とする請求項４記載の埋込形標識灯。
【請求項６】
基台内に中継端子台と電気的に接続されて配設され、基台に取り付けられる灯体が電気的に接続される電源端子台を具備し、
基台の周辺部に対し、中継端子台と電源端子台とが対向するように配置されているとともに、中継端子台と電源端子台との対向方向に対して交差する方向に金属管が配置されている
ことを特徴とする請求項４または５記載の埋込形標識灯。
【請求項７】
鉄筋コンクリート舗装に設けられる配線溝内に配設される金属管および接地線と；
金属管内に配線される電力線と；
電力線間および接地線間に接続される請求項１ないし３いずれか一記載の埋込形標識灯と；
を具備していることを特徴とする埋込形標識灯装置。
【発明の詳細な説明】
【技術分野】
【０００１】
本発明は、路面に埋め込み設置される埋込形標識灯および埋込形標識灯装置に関する。
【背景技術】
【０００２】
従来、例えば、空港における航空機の駐機場所であるエプロン地区では、路面から８０〜１００ｍｍの深さに鉄筋が設置された鉄筋コンクリート舗装が施されている。このような路面に埋込形標識灯装置を後付設置する場合、鉄筋の切断を避けるため、薄形の標識灯が用いられるとともに、標識灯に点灯回路からの電力線を配線する配線方式として切り込み接着工法と呼ばれる配線直埋設工法が採用されている。この工法では、コンクリートに配線溝を切り、この配線溝内に電力線を配置するとともに接着剤を充填している（例えば、特許文献１参照。）。
【０００３】
また、従来の標識灯における電力線の配線方式では、点灯回路に接続される主線があり、この主線から各標識灯に配線する各分岐線が分岐されている。主線と各分岐線とは圧着スリーブなどで直接接続されている。
【特許文献１】特開２００３−２５３６３２号公報（第２頁）
【発明の開示】
【発明が解決しようとする課題】
【０００４】
しかしながら、従来の標識灯における電力線の配線方式では、点灯回路に接続される主線があり、この主線から各標識灯に配線する各分岐線が分岐されるため、主線が長く、この主線の設置作業が煩雑になり、しかも、主線と各分岐線とを圧着スリーブなどで直接接続するため、この接続作業も煩雑になるなど、電気接続が容易にでない問題がある。また、断線などによる電力線の取替え作業においても、同様の問題がある。
【０００５】
本発明は、このような点に鑑みなされたもので、電力線の設置作業や取替え作業を容易にでき、埋込形標識灯間の電気接続を容易にできる埋込形標識灯および埋込形標識灯装置を提供することを目的とする。
【課題を解決するための手段】
【０００６】
請求項１記載の埋込形標識灯は、基台と；基台の中央に取り付けられる灯体と；基台内に配設され、基台に取り付けられる灯体側と電気的に接続されるとともに、複数の基台にわたって配線される電力線を中継する中継端子台と；を具備しているものである。
【０００７】
基台は、例えば、空港における航空機の駐機場所であるエプロン地区などの路面に埋め込み設置される。灯体は、例えば、基台に取り付けられる灯体本体、灯体本体内に配設される発光ダイオード素子、白熱ランプ、放電ランプなどの光源、および光源の光を照射するレンズなどを備えている。中継端子台は、例えば、点灯回路や上流側の基台の中継端子台から配線される入力側の電力線と、下流側の基台の中継端子台へ配線する出力側の電力線とが接続される。中継端子台は、基台に取り付けられる灯体側と電気的に接続されるが、例えば、基台に灯体と電気的に接続される電源端子台を備えている場合には、中継端子台と電源端子台とが電線で電気的に接続される。
【０００８】
請求項２記載の埋込形標識灯は、請求項１記載の埋込形標識灯において、中継端子台は、電力線を接続する接続部を有し、基台内の周辺部に配設されるとともに接続部が基台の中央方向でかつ斜め上方に向くように配設されているものである。
【０００９】
接続部は、例えば、接続ねじで電力線を締め付けて電気接続状態に保持する構造や、差込孔に差し込まれた電力線を鎖錠端子で電気接続状態に抜け止め保持する構造などを用いることができる。
【００１０】
請求項３記載の埋込形標識灯は、請求項１または２記載の埋込形標識灯において、基台内の周辺部に電力線を配線する配線部が設けられているものである。
【００１１】
配線部は、基台の中央側に開口する配線溝のほか、基台の中央側に障害物がある場合にはそれを避けるようにして基台の周縁部に形成する配線孔でもよい。
【００１２】
請求項４記載の埋込形標識灯は、請求項１ないし３いずれか一記載の埋込形標識灯において、基台に配線する電力線を通す金属管を具備しているものである。
【００１３】
金属管は、例えば、剛性の高い金属管のほか、配管場所に応じて形状を容易に変化させることができる可撓性を有する金属管を用いてもよい。
【００１４】
請求項５記載の埋込形標識灯は、請求項４記載の埋込形標識灯において、金属管には複数の孔が形成されているものである。
【００１５】
金属管には、例えば、網状の金属管や、筒状の金属管に複数の孔をあけてもよい。
【００１６】
請求項６記載の埋込形標識灯は、請求項４または５記載の埋込形標識灯装置において、基台内に中継端子台と電気的に接続されて配設され、基台に取り付けられる灯体が電気的に接続される電源端子台を具備し、基台の周辺部に対し、中継端子台と電源端子台とが対向するように配置されているとともに、中継端子台と電源端子台との対向方向に対して交差する方向に金属管が配置されているものである。
【００１７】
中継端子台と電源端子台とは、例えば、基台内に配線される内部配線で電気的に接続される。電源端子台は、例えば、基台に取り付けられる灯体側の受電端子台が結合して電気的に接続される。金属管は、中継端子台と電源端子台との対向方向に対して交差する方向で、基台に対して２方向の位置あるいは１方向の位置に配置される。
【００１８】
請求項７記載の埋込形標識灯装置は、鉄筋コンクリート舗装に設けられる配線溝内に配設される金属管および接地線と；金属管内に配線される電力線と；電力線間および接地線間に接続される請求項１ないし３いずれか一記載の埋込形標識灯と；を具備しているものである。
【００１９】
鉄筋コンクリート舗装は、例えば、路面から所定の深さに鉄筋が設置されたもので、配線溝や埋込形標識灯を埋め込む埋込孔が鉄筋位置より浅い深さに形成される。接地線は、例えば、基台に電気的に接続される。
【発明の効果】
【００２０】
請求項１記載の埋込形標識灯によれば、基台内に複数の基台にわたって配線される電力線を中継する中継端子台を配設したため、電力線が短くなって電力線の設置作業や取替え作業を容易にでき、埋込形標識灯間の電気接続を容易にできる。
【００２１】
請求項２記載の埋込形標識灯によれば、請求項１記載の埋込形標識灯の効果に加えて、中継端子台を基台内の周辺部に配設することによって基台を薄形化でき、しかも、中継端子台を基台内の周辺部に配設していても、中継端子台の電力線を接続する接続部を基台の中央方向でかつ斜め上方に向くように配設したため、中継端子台の接続部に電力線を接続しやすくできる。
【００２２】
請求項３記載の埋込形標識灯によれば、請求項１または２記載の埋込形標識灯の効果に加えて、基台内の周辺部に電力線を配線する配線部を設けたため、基台に灯体を取り付ける際に電力線を挟み込むのを防止できる。
【００２３】
請求項４記載の埋込形標識灯装置によれば、請求項１ないし３いずれか一記載の埋込形標識灯装置の効果に加えて、基台に配線する電力線を金属管に通すため、雷サージなどに対するシールド効果を得ることができるとともに、電力線の設置も容易にできる。
【００２４】
請求項５記載の埋込形標識灯によれば、請求項４記載の埋込形標識灯の効果に加えて、金属管に複数の孔を形成したため、例えば金属管を設置した配線溝などに接着剤などの充填材を充填して固定する場合でも、充填材を金属管の下側まで行き渡らせることができ、金属管および電力線の破損を防止できる。
【００２５】
請求項６記載の埋込形標識灯によれば、請求項４または５記載の埋込形標識灯の効果に加えて、基台の周辺部に対し、中継端子台と電源端子台とを対向するように配置するとともに、中継端子台と電源端子台との対向方向に対して交差する方向に金属管を配置するため、中継端子台と電源端子台と金属管とが互いに干渉せず、基台内での電力線の接続や基台内での電力線および内部配線の取り回しを容易にでき、小形化ができ、さらに、中継端子台と電源端子台とを対向するように配置することで、金属管を通じて基台内に引き込んだ電力線を中継端子台に接続するときに、電源端子台が障害となりにくく、容易に接続できる。
【００２６】
請求項７記載の埋込形標識灯装置によれば、鉄筋コンクリート舗装に設けられる配線溝内に電力線を配線した金属管および接地線を配設し、電力線間および接地線間に請求項１ないし３いずれか一記載の埋込形標識灯を接続するため、電力線や埋込形標識灯の設置が容易で、施工性を向上でき、また、金属管によって雷サージなどに対するシールド効果を得ることができ、信頼性の高い埋込形標識灯装置を提供できる。
【発明を実施するための最良の形態】
【００２７】
以下、本発明の実施の形態を図面を参照して説明する。
【００２８】
図１ないし図７に第１の実施の形態を示す。図１は埋込形標識灯装置の灯体を外した状態の平面図、図２は埋込形標識灯装置の灯体を取り付けた状態での図１のＡ−Ｂ−Ｃ−Ｄ断面図、図３は埋込形標識灯装置の斜視図、図４は埋込形標識灯装置の電力線および接地線を配線する配線溝の断面図、図５は埋込形標識灯装置の金属管の側面図、図６は埋込形標識灯装置の中継端子台の断面図、図７は埋込形標識灯装置の配線図である。
【００２９】
埋込形標識灯装置は、例えば空港における航空機の駐機場所であるエプロン地区などの路面10に埋め込み設置されるもので、図７に示すように、定電流形の点灯回路11、複数の埋込形標識灯12、これら点灯回路11と各埋込形標識灯12とにわたって直列に配線される一対の電力線13と接地線14、一対の電力線13を通す金属管15などを備えている。
【００３０】
図１ないし図４に示すように、路面10は、路面から８０〜１００ｍｍ程度の深さに鉄筋が設置された鉄筋コンクリート舗装であり、この路面10には、埋込形標識灯12を埋め込み設置される円形の埋設孔18が形成されているとともに、電力線13を通した金属管15および接地線14が埋め込み設置される配線溝19が埋設孔18を直線状に貫通するように形成されている。鉄筋を切断しないように、埋設孔18は深さが６０ｍｍに形成され、また、配線溝19は幅が１０ｍｍ、深さが３５ｍｍに形成されている。基台21が設置された埋設孔18や電力線13を通した金属管15および接地線14が埋め込み配線された配線溝19には例えばエポキシ系接着剤などの充填材17が充填される。
【００３１】
埋込形標識灯12は、基台21と、この基台21に対して着脱可能に取り付けられる灯体22とを備えている。
【００３２】
基台21は、例えば、アルミニウム合金などの鋳物などにて形成されたいわゆる薄形基台であり、円筒状の周面部24と、この周面部24の底部を覆う底面部25とが一体に形成されている。この基台21の内側中央には、灯体22を収納する上側を開口した灯体収納部26が形成されている。周面部24の内側で上下方向中間部には、灯体22を取り付ける円環状のフランジ部27が内周側に向かって突設されている。このフランジ部27の周方向の複数箇所には、灯体取付用の複数の取付ボルト28が突設されている。
【００３３】
基台21内で周辺部であって底面部25とフランジ部27との間には、略環状の配線部29が形成されている。この配線部29は、基台21の内方に開口する配線溝30、および各取付ボルト28の部分を避けて外側に迂回するように形成される配線孔31を有し、配線溝30と配線孔31とによって環状に形成されている。
【００３４】
基台21の周面部24の周方向の対称位置には、金属管15が液密に接続される接続孔32が配線部29に貫通して形成されているとともに、各接続孔32の上方に接地線14の芯線を接続する接続ボルト33が螺着されている。金属管15内に通されている電力線13は接続孔32を通じて基台21内に導入されるとともに配線部29内に沿って配線される。電力線13には、点灯回路11や上流側の埋込形標識灯12から配線される入力側の電力線13aと、下流側の埋込形標識灯12へ配線される出力側の電力線13bとがある。
【００３５】
また、基台21内の周縁部の配線部29内であって、入出力の電力線13a，13bの導入位置の中間位置には、入力側の電力線13aと出力側の電力線13bとを接続して中継する中継端子台35が配設されている。この中継端子台35は、図１、図２、図６に示すように、例えば、絶縁性を有する合成樹脂などで形成された端子台本体36を有し、端子台本体36の中央には端子台本体36を基台21に取付ねじ37によって取り付ける取付部38が配設され、この取付部38の一側には入力側の一対の電力線13aが接続される一対の接続部39aが並設されているとともに、他側には出力側の一対の電力線13bが接続される一対の接続部39bが並設されている。
【００３６】
各接続部39a，39bは、端子板40、この端子板40に接続板41を介して螺着する接続ねじ42を有し、端子板40と接続板41との間に各電力線13a，13bの芯線が差し込まれた状態で接続ねじ42の締め付けることにより各電力線13a，13bを挟み込んで電気的接続状態に保持する。
【００３７】
各一対の接続部39a，39bのうち、中央側の各一方の接続部39a，39bは、外側の各他方の接続部39a，39bよりも突出するように段差状に形成されている。中央側の各一方の接続部39a，39bは端子板40を通じて導通され、外側の各他方の接続部39a，39bは端子板40を通じて導通されている。
【００３８】
そして、中継端子台35は、各接続部39a，39bの接続ねじ42の頭部が基台21の中央方向でかつ斜め上方を向くように配設されている。
【００３９】
また、基台21の底面部25上でフランジ部27より内側位置には、基台21に取り付けられる灯体22と電気的に接続される一対の給電端子44を備えた電源端子台45が取り付けられている。この電源端子台45の各給電端子44には、中継端子台35の一対の接続部39aまたは一対の接続部39bにおける一対の端子板40に一対の内部配線46によって電気的に接続されている。この内部配線46は、基台21の配線部29に沿って配線されている。
【００４０】
そして、基台21の周辺部に対し、中継端子台35と電源端子台45とが対向するように配置されているとともに、中継端子台35と電源端子台45との対向方向に対して交差する方向に金属管15が配置されている。
【００４１】
また、図２に示すように、灯体22は、灯器とも呼ばれるもので、灯体本体51とこの灯体本体51に収納された光源52および光学系53などを備えている。灯体本体51は、上部灯体54と、この上部灯体54の下部に装着され形成された下部灯体55とを備えて全体として円盤状をなしている。灯体22の下側部を基台21の灯体収納部26に挿入した状態で、灯体22の外周部が基台21のフランジ部27上に図示しないＯリングを介して載置され、さらに、灯体22の外周部を貫通する基台21の各取付ボルト28に上側からナットを螺合して締め付けることにより、灯体22が基台21に液密に取り付けられる。
【００４２】
上部灯体54は、例えばアルミニウム合金などの鋳物などにて形成され、上面が略平面状をなす平面略円形状の上面部56と、この上面部56の外周部から外周の縁部に向かって上面が下降傾斜するフランジ部である上部外周部57とを備えている。この上部外周部57には、取付ボルト28が上下に貫通するボルト孔が形成され、さらに、各ボルト孔の上部を囲み、取付ボルト28に螺合したナットが配置されるナット収納部が凹設されている。上面部56の下側には、レンズ収納部58およびこのレンズ収納部58に隣接して連通する光源収納部59が形成されている。レンズ収納部58は、光源収納部59から外側上方に傾斜し、上部灯体54の外側に連通する窓孔60が形成されている。上部灯体54のレンズ収納部58には光学系53を構成するブロック状のレンズ61が収納され、このレンズ61が収納状態にレンズホルダ62によって保持されている。
【００４３】
下部灯体55は、灯体カバーとも呼ばれるもので、例えばアルミニウム合金などの鋳物などにて形成され、平面円形状の底面部63と、この底面部63の外周部から立ち上げられた略円筒状の周面部64と、この周面部64の上端部から外周側に突設された円環板状すなわちフランジ部である下部外周部65とが一体に形成されている。この下部外周部65には、各取付ボルト28の軸部が挿通されるボルト用通孔が複数箇所に形成されている。
【００４４】
下部灯体55の底面部63には、上部灯体54の光源収納部59に配置される光源52である発光ダイオード素子66を配置した基板67が取り付けられ、この基板67を通じて発光ダイオード素子66と電気的に接続された受電端子台68が取り付けられている。この受電端子台68は、下部灯体55の底面部63から下方に臨んで設けられ、灯体22を基台21に上方から取り付ける際に、電源端子台45の一対の給電端子44と電気的に接続される一対の受電端子を備えている。
【００４５】
また、電力線13および接地線14には、芯線を絶縁被覆した被覆電線である例えばポリアミド電線が用いられる。
【００４６】
また、金属管15は、図５に示すように、複数の孔が形成されるように網状の管で構成されている。図１および図２に示すように、金属管15の配線溝19に配線される部分は剛性の高い金属管15aを用いてもよいが、埋込形標識灯12の基台21に接続される部分は配線溝19と基台21の接続孔32との位置の違いに対応するために可撓性を有する金属管15bを用いられている。
【００４７】
次に、路面10に複数の埋込形標識灯12を設置するには、路面10の各埋込形標識灯12の設置場所に基台21の直径より大きい内径の大きい埋設孔18を形成するとともに、これら各埋設孔18を直線状に貫通するように配線溝19を形成する。
【００４８】
各埋設孔18に各基台21を設置し、配線溝19に沿って一対の電力線13を通した金属管15および接地線14を設置する。金属管15の端部から導出されている一対の電力線13を基台21の接続孔32から基台21内に引き込み、金属管15の端部を基台21の接続孔32に取り付ける。接地線14を接続ボルト33で基台21に接続する。
【００４９】
基台21内に引き込んだ入力側の一対の電力線13aおよび出力側の一対の電力線13bを基台21の周辺部の配線部29に沿って配線して中継端子台35の入力側の一対の接続部39aおよび出力側の一対の接続部39bに接続する。接続ねじ42を緩めて端子板40と接続板41との間に各電力線13a，13bの芯線を差し込み、接続ねじ42を締め付けて端子板40と接続板41との間に各電力線13a，13bを挟み込んで電気的に接続する。このとき、中継端子台35の電力線13を接続する接続部39a，39bを基台21の中央方向でかつ斜め上方に向くように配設したため、接続ねじ42を工具によって容易に操作でき、中継端子台35の接続部39a，39bに電力線13を接続しやすい。さらに、中央側の各一方の接続部39a，39bは、外側の各他方の接続部39a，39bよりも突出するように段差状に形成したため、各一対の電力線13a，13bが重ならずに各一対の接続部39a，39bに差し込んで接続することができる。
【００５０】
基台21が設置された埋設孔18、電力線13を通した金属管15および接地線14が埋め込み配線された配線溝19には、例えばエポキシ系接着剤などの充填材17を充填する。このとき、金属管15は複数の孔を有する網状であるため、充填材17を金属管15の下側まで、つまり配線溝19内全体に行き渡らせることができる。
【００５１】
基台21に予め上部灯体54と下部灯体55とを組み合わせた灯体22を上側から被せ、電源端子台45に受電端子台68を電気的に接続する。灯体22を貫通する取付ボルト28にナットを締め付けることにより、灯体22の基台21への電気的および機械的な接続を完了する。
【００５２】
この状態で、電力線13が中継端子台35、内部配線46、電源端子台45、受電端子台68、基板67を介して発光ダイオード素子66に電気的に接続され、点灯回路11からの電力供給により発光ダイオード素子66が点灯する。
【００５３】
このように構成された埋込形標識灯装置では、基台21内に複数の基台21にわたって配線される電力線13を中継する中継端子台35を配設したため、電力線13が短くなって電力線13の設置作業や取替え作業を容易にでき、埋込形標識灯12間の電気接続を容易にできる。
【００５４】
また、中継端子台35を基台21内の周辺部に配設することによって基台21を薄形化でき、しかも、中継端子台35を基台21内の周辺部に配設していても、中継端子台35の電力線13を接続する接続部39a，39bを基台21の中央方向でかつ斜め上方に向くように配設したため、中継端子台35の接続部39a，39bに電力線13を接続しやすくできる。
【００５５】
また、基台21内の周辺部に電力線13を配線する配線部29を設けたため、基台21に灯体22を取り付ける際に電力線13を挟み込むのを防止できる。
【００５６】
また、基台21に配線する電力線13を金属管15に通すため、雷サージなどに対するシールド効果を得ることができるとともに、電力線13の設置も容易にできる。さらに、金属管15は複数の孔を有する網状であるため、充填材17を金属管15の下側まで、つまり配線溝19内全体に行き渡らせることができ、航空機などが配線溝19の上方を通過した場合でも金属管15の破損を防止できる。
【００５７】
また、基台21の周辺部に対し、中継端子台35と電源端子台45とを対向するように配置するとともに、中継端子台35と電源端子台45との対向方向に対して交差する方向に金属管15を配置するため、中継端子台35と電源端子台45と金属管15とが互いに干渉せず、基台21内での電力線13の接続や基台21内での電力線13および内部配線46の取り回しを容易にでき、埋込形標識灯12を小形化ができる。さらに、中継端子台35と電源端子台45とを対向するように配置することで、金属管15を通じて基台21内に引き込んだ電力線13を中継端子台35に接続するときに、電源端子台45が障害となりにくく、容易に接続できる。
【００５８】
次に、図８ないし図１２に第２の実施の形態を示す。
【００５９】
図８は埋込形標識灯装置の灯体を外した状態の平面図、図９は埋込形標識灯装置の灯体を取り付けた状態での図１のＡ−Ｂ−Ｃ−Ｄ断面図、図１０は埋込形標識灯装置の斜視図、図１１は埋込形標識灯装置の電力線および接地線を配線する配線溝の断面図、図１２は埋込形標識灯装置の配線図である。
【００６０】
路面10に主体とする配線溝19aが設けられ、この配線溝19aから離れた位置に埋設孔18が設けられて埋込形標識灯12が設置される場合であり、配線溝19aと埋設孔18との間には配線溝19bが設けられている。配線溝19bには、入力側の電力線13aを通した金属管15、出力側の電力線13bを通した金属管15、接地線14が配設される。
【００６１】
埋込形標識灯12の基台21には、配線溝19bに対向する側面に、入力側の電力線13aを通した金属管15と出力側の電力線13bを通した金属管15とが接続される接続孔32が形成されているとともに、接地線14を接続する接続ボルト33が配設されている。
【００６２】
基台21内に引き込まれる入力側の一対の電力線13aは、基台21の周辺部の配線部29に沿って配線されて中継端子台35の入力側の一対の接続部39aに接続され、また、出力側の一対の電力線13bは、入力側の一対の電力線13aとは反対周りで、基台21の周辺部の配線部29に沿って配線されて中継端子台35の出力側の一対の接続部39bに接続される。
【００６３】
なお、金属管15は、網状に限らず、筒状の金属管に複数の孔をあけてもよい。また、筒状の金属管でも、部分的に太さを変化させることでも、配線溝19内に充填する充填材17を金属管15の下側まで行き渡らせることができる。
【図面の簡単な説明】
【００６４】
【図１】本発明の第１の実施の形態を示す埋込形標識灯装置の灯体を外した状態の平面図である。
【図２】同上埋込形標識灯装置の灯体を取り付けた状態での図１のＡ−Ｂ−Ｃ−Ｄ断面図である。
【図３】同上埋込形標識灯装置の斜視図である。
【図４】同上埋込形標識灯装置の電力線および接地線を配線する配線溝の断面図である。
【図５】同上埋込形標識灯装置の金属管の側面図である。
【図６】同上埋込形標識灯装置の中継端子台の断面図である。
【図７】同上埋込形標識灯装置の配線図である。
【図８】本発明の第２の実施の形態を示す埋込形標識灯装置の灯体を外した状態の平面図である。
【図９】同上埋込形標識灯装置の灯体を取り付けた状態での図１のＡ−Ｂ−Ｃ−Ｄ断面図である。
【図１０】同上埋込形標識灯装置の斜視図である。
【図１１】同上埋込形標識灯装置の電力線および接地線を配線する配線溝の断面図である。
【図１２】同上埋込形標識灯装置の配線図である。
【符号の説明】
【００６５】
12    埋込形標識灯
13    電力線
14    接地線
15    金属管
19    配線溝
21    基台
22    灯体
29    配線部
35    中継端子台
39a，39b    接続部
45    電源端子台
【図１】
2007308974.tif 000003
【図２】
2007308974.tif 000004
【図３】
2007308974.tif 000005
【図４】
2007308974.tif 000006
【図５】
2007308974.tif 000007
【図６】
2007308974.tif 000008
【図７】
2007308974.tif 000009
【図８】
2007308974.tif 000010
【図９】
2007308974.tif 000011
【図１０】
2007308974.tif 000012
【図１１】
2007308974.tif 000013
【図１２】
2007308974.tif 000014